【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
ワイヤレスネットワークにおけるチャンネルの探索を可能にする方法であって、
前記ネットワーク内のワイヤレスステーションと通信する傾向に最もある候補アクセスポイントと、そうでない候補アクセスポイントとを区別する候補アクセスポイント情報を収集することと、
前記候補アクセスポイント情報に基づいてプローブ要求を送信することと、
を含む方法。
【請求項２】
前記プローブ要求が、通信する傾向に最もあると区別された前記候補アクセスポイントを指定する、請求項１に記載の方法。
【請求項３】
前記プローブ要求が、前記ネットワークと通信する傾向に最もあると区別された前記候補アクセスポイントの中から選択された特定の候補アクセスポイントを指定する、請求項１に記載の方法。
【請求項４】
送信先アドレスフィールドにブロードキャストアドレスが入力され、基本サービスセット特定フィールドに前記特定の候補アクセスポイントの個々のアドレスが入力され、且つ、サービスセット特定フィールドに、前記特定の候補アクセスポイントのためのサービスセット識別情報又はブロードキャストサービスセット識別情報のいずれかが入力される情報のフィールドを前記プローブ要求が備える、請求項３に記載の方法。
【請求項５】
前記特定の候補アクセスポイントは、前記プローブ要求に対して、他の形式のフレームが前記特定の候補アクセスポイントから送信される前の確認フレームであって、前記プローブ要求の直後に続くフレーム間スペースの直後の前記確認フレームで応答する、請求項３に記載の方法。
【請求項６】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記ワイヤレスステーションは、前記プローブ応答に対して確認フレームで応答する、
請求項３に記載の方法。
【請求項７】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記プローブ応答は、確認も、前記ワイヤレスステーションからの確認フレームで確認されることの予期もされていない、
請求項３に記載の方法。
【請求項８】
前記特定の候補アクセスポイントが、前記プローブ要求の直後に続き且つ分散フレーム間スペース期間より短いフレーム間スペース期間内に、前記プローブ要求に対してプローブ応答で応答しない場合には、前記ワイヤレスステーションが、前記プローブ要求の直後に続く前記フレーム間スペース期間が終了した後の期間に前記プローブ要求を送信するが、分散フレーム間スペース期間が、前記プローブ要求の直後に続く前記フレーム間スペース期間と同時に開始した場合には、その分散フレーム間スペース期間が開始する期間より前に、前記プローブ要求を再送信する、請求項３に記載の方法。
【請求項９】
前記プローブ要求は、相互運用性に関するＩＥＥＥ８０２．１１、８０２．１５及び８０２．１６ワイヤレス規格のうちの一つに準拠する、請求項１に記載の方法。
【請求項１０】
ワイヤレスステーションと通信する傾向に最もある候補アクセスポイントと、そうでない候補アクセスポイントとを区別する候補アクセスポイント情報を収集する収集装置、及び
前記候補アクセスポイント情報に基づいてプローブ要求を送信する送信装置、
を備えるワイヤレス通信ネットワーク。
【請求項１１】
前記プローブ要求が、通信する傾向に最もあると区別された前記候補アクセスポイントを指定する、請求項１０に記載のネットワーク。
【請求項１２】
前記プローブ要求が、前記ネットワークと通信する傾向に最もあると区別された前記候補アクセスポイントの中から選択された特定の候補アクセスポイントを指定する、請求項１１に記載のネットワーク。
【請求項１３】
送信先アドレスフィールドにブロードキャストアドレスが入力され、基本サービスセット特定フィールドに前記特定の候補アクセスポイントの個々のアドレスが入力され、且つ、サービスセット特定フィールドに、前記特定の候補アクセスポイントのためのサービスセット識別情報又はブロードキャストサービスセット識別情報のいずれかが入力される情報のフィールドを前記プローブ要求が備える、請求項１２に記載のネットワーク。
【請求項１４】
前記特定の候補アクセスポイントは、前記プローブ要求に対して、他の形式のフレームが前記特定の候補アクセスポイントから送信される前の確認フレームであって、前記プローブ要求の直後に続くフレーム間スペースの直後の前記確認フレームで応答する、請求項１２に記載のネットワーク。
【請求項１５】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記ワイヤレスステーションは、前記プローブ応答に対して確認フレームで応答する、
請求項１２に記載のネットワーク。
【請求項１６】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記プローブ応答は、確認も、前記ワイヤレスステーションからの確認フレームで確認されることの予期もされていない、
請求項１２に記載のネットワーク。
【請求項１７】
前記特定の候補アクセスポイントが、前記プローブ要求の直後に続き且つ分散フレーム間スペース期間より短いフレーム間スペース期間内に、前記プローブ要求に対してプローブ応答で応答しない場合には、前記ワイヤレスステーションが、前記プローブ要求の直後に続く前記フレーム間スペース期間が終了した後の期間に前記プローブ要求を送信するが、分散フレーム間スペース期間が、前記プローブ要求の直後に続く前記フレーム間スペース期間と同時に開始した場合には、その分散フレーム間スペース期間が開始する期間より前に、前記プローブ要求を再送信する、請求項１２に記載のネットワーク。
【請求項１８】
前記プローブ要求が、相互運用性に関するＩＥＥＥ８０２．１１、８０２．１５及び８０２．１６ワイヤレス規格のうちの一つに準拠する、請求項１０に記載のネットワーク。
【請求項１９】
ワイヤレスステーションと通信する傾向に最もある候補アクセスポイントと、そうでない候補アクセスポイントとを区別する候補アクセスポイント情報を、その少なくとも幾つかが有する複数のアクセスポイントを備え、
候補アクセスポイント情報を有する前記アクセスポイントは、前記候補アクセスポイント情報に基づいてプローブ要求を送信するための送信装置を有する、
ワイヤレステレコミュニケーションシステム。
【請求項２０】
前記プローブ要求が、通信する傾向に最もあると区別された前記候補アクセスポイントを指定する、請求項１９に記載のシステム。
【請求項２１】
前記プローブ要求が、前記ネットワークと通信する傾向に最もあると区別された前記候補アクセスポイントの中から選択された特定の候補アクセスポイントを指定する、請求項１９に記載のシステム。
【請求項２２】
送信先アドレスフィールドにブロードキャストアドレスが入力され、基本サービスセット特定フィールドに前記特定の候補アクセスポイントの個々のアドレスが入力され、且つ、サービスセット特定フィールドに、前記特定の候補アクセスポイントのためのサービスセット識別情報又はブロードキャストサービスセット識別情報のいずれかが入力される情報のフィールドを前記プローブ要求が備える、請求項２１に記載のシステム。
【請求項２３】
前記特定の候補アクセスポイントは、前記プローブ要求に対して、他の形式のフレームが前記特定の候補アクセスポイントから送信される前の確認フレームであって、前記プローブ要求の直後に続くフレーム間スペースの直後の前記確認フレームで応答する、請求項２１に記載のシステム。
【請求項２４】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記ワイヤレスステーションは、前記プローブ応答に対して確認フレームで応答する、
請求項２１に記載のシステム。
【請求項２５】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記プローブ応答は、確認も、前記ワイヤレスステーションからの確認フレームで確認されることの予期もされていない、
請求項２１に記載のシステム。
【請求項２６】
前記特定の候補アクセスポイントが、前記プローブ要求の直後に続き且つ分散フレーム間スペース期間より短いフレーム間スペース期間内に、前記プローブ要求に対してプローブ応答で応答しない場合には、前記ワイヤレスステーションが、前記プローブ要求の直後に続く前記フレーム間スペース期間が終了した後の期間に前記プローブ要求を送信するが、分散フレーム間スペース期間が、前記プローブ要求の直後に続く前記フレーム間スペース期間と同時に開始した場合には、その分散フレーム間スペース期間が開始する期間より前に、前記プローブ要求を再送信する、請求項２１に記載のシステム。
【請求項２７】
前記プローブ要求が、相互運用性に関するＩＥＥＥ８０２．１１、８０２．１５及び８０２．１６ワイヤレス規格のうちの一つに準拠する、請求項１９に記載のシステム。
【請求項２８】
複数のアクセスポイントであって、前記アクセスポイントの少なくとも１つが、前記システム内のワイヤレスステーションと通信する傾向に最もある候補アクセスポイントと、そうでない候補アクセスポイントとを区別する候補アクセスポイント情報を処理するプロセッサを備えるように改良されている、該複数のアクセスポイントと、
前記候補アクセスポイント情報に基づいてプローブ要求を送信するワイヤレス端末と、
を備えるワイヤレステレコミュニケーションシステム。
【請求項２９】
前記プローブ要求が、通信する傾向に最もあると区別された前記候補アクセスポイントを指定する、請求項２８に記載のシステム。
【請求項３０】
前記プローブ要求が、前記ネットワークと通信する傾向に最もあると区別された前記候補アクセスポイントの中から選択された特定の候補アクセスポイントを指定する、請求項２９に記載のシステム。
【請求項３１】
送信先アドレスフィールドにブロードキャストアドレスが入力され、基本サービスセット特定フィールドに前記特定の候補アクセスポイントの個々のアドレスが入力され、且つ、サービスセット特定フィールドに、前記特定の候補アクセスポイントのためのサービスセット識別情報又はブロードキャストサービスセット識別情報のいずれかが入力される情報のフィールドを前記プローブ要求が備える、請求項３０に記載のシステム。
【請求項３２】
前記特定の候補アクセスポイントは、前記プローブ要求に対して、他の形式のフレームが前記特定の候補アクセスポイントから送信される前の確認フレームであって、前記プローブ要求の直後に続くフレーム間スペースの直後の前記確認フレームで応答する、請求項３０に記載のシステム。
【請求項３３】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記ワイヤレスステーションは、前記プローブ応答に対して確認フレームで応答する、
請求項３０に記載のシステム。
【請求項３４】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記プローブ応答は、確認も、前記ワイヤレスステーションからの確認フレームで確認されることの予期もされていない、
請求項３０に記載のシステム。
【請求項３５】
前記特定の候補アクセスポイントが、前記プローブ要求の直後に続き且つ分散フレーム間スペース期間より短いフレーム間スペース期間内に、前記プローブ要求に対してプローブ応答で応答しない場合には、前記ワイヤレスステーションが、前記プローブ要求の直後に続く前記フレーム間スペース期間が終了した後の期間に前記プローブ要求を送信するが、分散フレーム間スペース期間が、前記プローブ要求の直後に続く前記フレーム間スペース期間と同時に開始した場合には、その分散フレーム間スペース期間が開始する期間より前に、前記プローブ要求を再送信する、請求項３０に記載のシステム。
【請求項３６】
前記プローブ要求が、相互運用性に関するＩＥＥＥ８０２．１１、８０２．１５及び８０２．１６ワイヤレス規格のうちの一つに準拠する、請求項２８に記載のシステム。
【請求項３７】
複数のワイヤレスステーションであって、前記ワイヤレスステーションの少なくとも１つが、当該ワイヤレスステーションと通信する傾向に最もある候補アクセスポイントと、そうでない候補アクセスポイントとを区別する候補アクセスポイント情報を処理するプロセッサを備えるように改良されている、該複数のワイヤレスステーションと、
前記候補アクセスポイント情報に基づいてプローブ要求を送信するワイヤレスステーションと、
を備えるワイヤレステレコミュニケーションシステム。
【請求項３８】
前記プローブ要求が、通信する傾向に最もあると区別された前記候補アクセスポイントを指定する、請求項３７に記載のシステム。
【請求項３９】
前記プローブ要求が、前記ネットワークと通信する傾向に最もあると区別された前記候補アクセスポイントの中から選択された特定の候補アクセスポイントを指定する、請求項３７に記載のシステム。
【請求項４０】
送信先アドレスフィールドにブロードキャストアドレスが入力され、基本サービスセット特定フィールドに前記特定の候補アクセスポイントの個々のアドレスが入力され、且つ、サービスセット特定フィールドに、前記特定の候補アクセスポイントのためのサービスセット識別情報又はブロードキャストサービスセット識別情報のいずれかが入力される情報のフィールドを前記プローブ要求が備える、請求項３９に記載のシステム。
【請求項４１】
前記特定の候補アクセスポイントは、前記プローブ要求に対して、他の形式のフレームが前記特定の候補アクセスポイントから送信される前の確認フレームであって、前記プローブ要求の直後に続くフレーム間スペースの直後の前記確認フレームで応答する、請求項３９に記載のシステム。
【請求項４２】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記ワイヤレスステーションは、前記プローブ応答に対して確認フレームで応答する、請求項３９に記載のシステム。
【請求項４３】
前記特定の候補アクセスポイントは、前記プローブ要求に対し、フレーム間スペース期間の直後に続くプローブ応答フレームで応答し、当該フレーム間スペース期間は、前記プローブ要求の直後に続くものであって、分散フレーム間スペース期間より時間が短く、
前記プローブ応答は、確認も、前記ワイヤレスステーションからの確認フレームで確認されることの予期もされていない、
請求項３９に記載のシステム。
【請求項４４】
前記特定の候補アクセスポイントが、前記プローブ要求の直後に続き且つ分散フレーム間スペース期間より短いフレーム間スペース期間内に、前記プローブ要求に対してプローブ応答で応答しない場合には、前記ワイヤレスステーションが、前記プローブ要求の直後に続く前記フレーム間スペース期間が終了した後の期間に前記プローブ要求を送信するが、分散フレーム間スペース期間が、前記プローブ要求の直後に続く前記フレーム間スペース期間と同時に開始した場合には、その分散フレーム間スペース期間が開始する期間より前に、前記プローブ要求を再送信する、請求項３９に記載のシステム。
【請求項４５】
前記プローブ要求が、相互運用性に関するＩＥＥＥ８０２．１１、８０２．１５及び８０２．１６ワイヤレス規格のうちの一つに準拠する、請求項３７に記載のシステム。
【請求項４６】
前記プローブ要求が、送信先アドレスフィールドに前記特定の候補アクセスポイントのアドレスが入力され、基本サービスセット特定フィールドにブロードキャスト基本サービスセット識別情報又は前記特定の候補アクセスポイントの前記アドレスが入力され、サービスセット特定フィールドにブロードキャストサービスセット識別情報又は前記特定の候補アクセスポイントのサービスセット識別情報が入力される情報のフィールドを備える、請求項３に記載の方法。
【請求項４７】
前記特定の候補アクセスポイントが、前記特定の候補アクセスポイントから送信される任意の他のタイプのフレームの前の確認フレームで前記プローブ要求に応答する、請求項３に記載の方法。
【請求項４８】
前記特定の候補アクセスポイントが、前記確認フレームの後のプローブ応答フレームで前記プローブ要求に応答する、請求項４７に記載の方法。
【請求項４９】
前記プローブ応答が、分散制御機能に従って送信される、請求項４８に記載の方法。
【請求項５０】
前記プローブ要求が、送信先アドレスフィールドに前記特定の候補アクセスポイントのアドレスが入力され、基本サービスセット特定フィールドにブロードキャスト基本サービスセット識別情報又は前記特定の候補アクセスポイントの前記アドレスが入力され、サービスセット特定フィールドにブロードキャストサービスセット識別情報又は前記特定の候補アクセスポイントのサービスセット識別情報が入力される情報のフィールドを備える、請求項１２に記載のネットワーク。
【請求項５１】
前記特定の候補アクセスポイントが、前記特定の候補アクセスポイントから送信される任意の他のタイプのフレームの前の確認フレームで前記プローブ要求に応答する、請求項１２に記載のネットワーク。
【請求項５２】
前記特定の候補アクセスポイントが、前記確認フレームの後のプローブ応答フレームで前記プローブ要求に応答する、請求項５１に記載のネットワーク。
【請求項５３】
前記プローブ応答が、分散制御機能に従って送信される、請求項５２に記載のネットワーク。
【請求項５４】
前記プローブ要求が、送信先アドレスフィールドに前記特定の候補アクセスポイントのアドレスが入力され、基本サービスセット特定フィールドにブロードキャスト基本サービスセット識別情報又は前記特定の候補アクセスポイントの前記アドレスが入力され、サービスセット特定フィールドにブロードキャストサービスセット識別情報又は前記特定の候補アクセスポイントのサービスセット識別情報が入力される情報のフィールドを備える、請求項２１に記載のシステム。
【請求項５５】
前記特定の候補アクセスポイントが、前記特定の候補アクセスポイントから送信される任意の他のタイプのフレームの前の確認フレームで前記プローブ要求に応答する、請求項２１に記載のシステム。
【請求項５６】
前記特定の候補アクセスポイントが、前記確認フレームの後のプローブ応答フレームで前記プローブ要求に応答する、請求項５５に記載のシステム。
【請求項５７】
前記プローブ応答が、分散制御機能に従って送信される、請求項５６に記載のシステム。
【請求項５８】
前記プローブ要求が、送信先アドレスフィールドに前記特定の候補アクセスポイントのアドレスが入力され、基本サービスセット特定フィールドにブロードキャスト基本サービスセット識別情報又は前記特定の候補アクセスポイントの前記アドレスが入力され、サービスセット特定フィールドにブロードキャストサービスセット識別情報又は前記特定の候補アクセスポイントのサービスセット識別情報が入力される情報のフィールドを備える、請求項３０に記載のシステム。
【請求項５９】
前記特定の候補アクセスポイントが、前記特定の候補アクセスポイントから送信される任意の他のタイプのフレームの前の確認フレームで前記プローブ要求に応答する、請求項３０に記載のシステム。
【請求項６０】
前記特定の候補アクセスポイントが、前記確認フレームの後のプローブ応答フレームで前記プローブ要求に応答する、請求項５９に記載のシステム。
【請求項６１】
前記プローブ応答が、分散制御機能に従って送信される、請求項６０に記載のシステム。
【請求項６２】
前記プローブ要求が、送信先アドレスフィールドに前記特定の候補アクセスポイントのアドレスが入力され、基本サービスセット特定フィールドにブロードキャスト基本サービスセット識別情報又は前記特定の候補アクセスポイントの前記アドレスが入力され、サービスセット特定フィールドにブロードキャストサービスセット識別情報又は前記特定の候補アクセスポイントのサービスセット識別情報が入力される情報のフィールドを備える、請求項３９に記載のシステム。
【請求項６３】
前記特定の候補アクセスポイントが、前記特定の候補アクセスポイントから送信される任意の他のタイプのフレームの前の確認フレームで前記プローブ要求に応答する、請求項３９に記載のシステム。
【請求項６４】
前記特定の候補アクセスポイントが、前記確認フレームの後のプローブ応答フレームで前記プローブ要求に応答する、請求項６３に記載のシステム。
【請求項６５】
前記プローブ応答が、分散制御機能に従って送信される、請求項６４に記載のシステム。